(57)【要約】【課題】ボルト等のネジ体の早回しと、決められたトルク値への締付けを、一つの工具で能率良く行っていくことができ、しかも、それを簡素な機構の工具で実現することができるようにする。【解決手段】トルクレンチ１であって、ネジ体と係合するヘッド５と、ヘッド５から半径線方向に延び、ネジ体に係合させたヘッド５を回転させてネジ体の締付けを行う手動締付け用のハンドルバーとが備えられ、更に、ネジ体早回し用の電動モーター３が備えられ、モーター３はトルクレンチ本体２から分離し、モーター３の回転がフレキシブルシャフト７を介してヘッド５に伝えられるようになされており、モーター３とバッテリー４が腰ベルト９に備えられている。【選択図】      図１
2005014193.tif 000002
【特許請求の範囲】
【請求項１】
ボルト等のネジ体と係合するヘッドと、ヘッドから半径線方向に延び、ネジ体に係合させたヘッドを回転させてネジ体の締付けを行う手動締付け用のハンドルバーとが備えられたトルクレンチにおいて、
ネジ体早回し用のモーターと、モーターの回転をヘッドに伝えてネジ体を回転させる回転伝達機構とが備えられていることを特徴とするトルクレンチ。
【請求項２】
前記モーターがトルクレンチ本体から分離し、モーターの回転がフレキシブルシャフトを介してトルクレンチ本体のヘッドに伝えられるようになされている請求項１に記載のトルクレンチ。
【請求項３】
前記モーターが電動モーターからなり、該電動モーターを駆動するバッテリーがトルクレンチ本体から分離して備えられ、電動モーターとバッテリーとを身体に保持させる保持具が備えられている請求項２に記載のトルクレンチ。
【発明の詳細な説明】
【０００１】
【発明の属する技術分野】
本発明は、トルクレンチに関する。
【０００２】
【従来の技術】
例えば、鉄骨造建物の建築などにおいて、柱、梁等の構造用部材をボルト接合する場合には、電動インパクトレンチなどを用いてボルトの早回しと締付けを行った後、ボルトが決められたトルク値に締め付けられているか否かをトルクレンチによる締付けを行って確認していくことが行われている。
【０００３】
【発明が解決しようとする課題】
しかしながら、電動インパクトレンチによる早回しと締付けを行った後に、トルクレンチによるトルク管理のための締付けを行うのでは能率が良くないという問題があった。
【０００４】
本発明はかかる問題点に鑑み、ボルト等のネジ体の早回しと、決められたトルク値への締付けを、一つの工具で能率良く行っていくことができ、しかも、それを簡素な機構の工具で実現することができるようにすることを課題とする。
【０００５】
【課題を解決するための手段】
上記の課題は、ボルト等のネジ体と係合するヘッドと、ヘッドから半径線方向に延び、ネジ体に係合させたヘッドを回転させてネジ体の締付けを行う手動締付け用のハンドルバーとが備えられたトルクレンチにおいて、
ネジ体早回し用のモーターと、モーターの回転をヘッドに伝えてネジ体を回転させる回転伝達機構とが備えられていることを特徴とするトルクレンチによって解決される。
【０００６】
このトルクレンチでは、ヘッドをネジ体に係合させ、モーターを駆動すると、モーターの回転がヘッドに伝えられ、ネジ体が早回しされていく。そして、早回し後は、ヘッドとネジ体との係合状態を保持したまま、ハンドルバーを手動操作で動かし、ネジ体を決められたトルク値に締め付けていく。このように、上記のトルクレンチを用いれば、ネジ体の早回しと、決められたトルク値への締付けを、一つの工具で能率良く行っていくことができ、しかも、それを簡素な機構の工具で実現することができる。
【０００７】
前記モーターがトルクレンチ本体から分離し、モーターの回転がフレキシブルシャフトを介してトルクレンチ本体のヘッドに伝えられるようになされている場合は、トルクレンチ本体にモーターの重量が加わらず、そのため、従来の手動式トルクレンチによるのを同じ感覚でネジ体を決められたトルク値に締め付けていくことができる。
【０００８】
その場合に、前記モーターが電動モーターからなり、該電動モーターを駆動するバッテリーがトルクレンチ本体から分離して備えられ、電動モーターとバッテリーとを身体に保持させる保持具が備えられているときは、モーターとバッテリーを保持具で身に付け、どこでても、ネジ体の早回しと、決められたトルク値への締付けとを行っていくことができる。
【０００９】
【発明の実施の形態】
次に、本発明の実施形態を図面に基づいて説明する。
【００１０】
図１に示す実施形態のトルクレンチ１において、２はトルクレンチ本体、３は電動モーター、４はバッテリーである。
【００１１】
トルクレンチ本体２は、ラチェット式のもので、ヘッド５と手動締付け用のハンドル６とを備え、ハンドル６はヘッド５から半径線方向に延び、図示しないトルク値設定部で締付けトルクを設定し、ヘッド５にボルト等のネジ体と係合し、ハンドル６を矢印で示すように小角往復回動させることで、ネジ体を決められたトルク値に締め付けることができるようになされている。なお、ヘッド５は、ネジ体に適合するソケットをつけるシャフトを備えたものであってよい。
【００１２】
そして、電動モーター３とトルクレンチ本体２とは分離され、伝動モーター３の回転軸に回転伝達機構としてのフレキシブルシャフト７の一方の端部が連結されると共に、フレキシブルシャフトのもう一方の端部はハンドル６の基端部から該ハンドル６の内部を通じてヘッド５に延ばされており、モーター３の回転がフレキシブルシャフト７を介してヘッド５に伝えられ、モーター３を駆動することにより、ヘッド５に係合させたネジ体を早回しすることができるようになされている。モーター３には、ネジ体を決められたトルク値に締め付ける能力は備えられておらず、その能力を下回る程度の能力であって、ネジ体を早回しすることのできる程度の能力を備えたものが用いられている。
【００１３】
また、本実施形態では、トルクレンチ本体２のハンドル６にモーター３のオン・オフスイッチ８が備えられ、ハンドル６の握り部６ａを握った手の指先でスイッチ８のオンオフ操作を行うことができるようになされている。そして、上記のモーター３とモーター駆動用のバッテリー４とは、身体保持具としての腰ベルト９に備え付けられている。
【００１４】
上記のトルクレンチ１では、腰ベルト９を腰回りに付け、トルクレンチ本体２の握り部６ａを握り、ヘッド５にネジ体を係合し、握った手の指先、例えば親指でスイッチ８をオンにすると、モーター３が駆動し、その回転が、フレキシブルシャフト７を介してトルクレンチ本体２のヘッドに伝えられ、ネジ体が早回しされていく。そして、この早回し段階を終えた後の締付け段階では、ヘッド５をネジ体に係合させたままの状態で、腕に力を込め、ハンドル６を握った手でトルクレンチ本体２を小角往復回動させ、ネジ体が決められた締付けトルク値となるまで締付けを行っていく。
【００１５】
このように、上記のトルクレンチ１を用いることで、ネジ体の早回しから、決められたトルク値への締付けまでを、ヘッド５とネジ体の係合を解除せずに、一つの工具で能率良く行っていくことができる。しかも、それを上記のようなトルクレンチという簡素な機構の工具で実現することができる。
【００１６】
しかも、モーター３はトルクレンチ本体２から分離し、モーター３の回転がフレキシブルシャフト７を介してトルクレンチ本体２のヘッド５に伝えられるようになされているので、トルクレンチ本体２にモーター３の重量が加わらず、そのため、従来の手動式トルクレンチによるのを同じ感覚でネジ体を決められたトルク値に締め付けていくことができる。
【００１７】
加えて、モーター３は電動モーターからなっていて、そのバッテリー４もトルクレンチ本体２から分離し、電動モーター３とバッテリー４は腰ベルト９に付けられているので、腰ベルト９を腰に付けることでモーター３とバッテリー４を身体に付け、トルクレンチ本体２を手に持って、どこでても、ネジ体の早回しと、決められたトルク値への締付けとを行っていくことができる。
【００１８】
以上に、本発明の実施形態を示したが、本発明はこれに限られるものではなく、発明思想を逸脱しない範囲で各種の変更が可能である。例えば、上記の実施形態では、身体保持具が腰ベルトである場合を示しているが、例えば腰ベルトに付けられるフックを身体保持具とし、このフックにモーター３とバッテリー４とを備えさせたものであってもよいし、要は、身体保持具は、モーター３とバッテリー４を身体に保持させるような構造をしているものであればよい。また、モーターは電動に限らないし、トルクレンチ本体に備えられていてもよい。
【００１９】
【発明の効果】
本発明のトルクレンチは、以上のとおりのものであるから、ボルト等のネジ体の早回しと、決められたトルク値への締付けを、一つの工具で能率良く行っていくことができ、しかも、それを簡素な機構の工具で実現することができる。
【図面の簡単な説明】
【図１】実施形態のトルクレンチを示す平面図である。
【符号の説明】
１…トルクレンチ
２…トルクレンチ本体
３…電動モーター（モーター）
４…バッテリー
５…ヘッド
６…ハンドル
７…フレキシブルシャフト
９…腰ベルト（身体保持具）
【図１】
2005014193.tif 000003